(57)【特許請求の範囲】
【請求項１】
本体と、前記本体に接続したボルトとを備えたコンクリート型枠押さえ金物であって、
前記ボルトは、その先端に前記ボルトの外径より小径な小径部と、前記本体との接続部に型枠の穴口径よりも小径な角型部とを備え、断面視略ハット型に形成され、前記ボルトの後部外周に嵌合させることで前記本体に取り外し可能な止水部材を備えたことを特徴とするコンクリート型枠押さえ金物。
【請求項２】
前記小径部を角型形状としたことを特徴とする請求項１記載のコンクリート型枠押さえ金物。
【請求項３】
前記本体の直径を前記本体長さより小径とすることを特徴とする請求項１又は２に記載のコンクリート型枠押さえ金物。
【請求項４】
前記本体の前記型枠側に平坦部を形成したことを特徴とする請求項１〜３のいずれか１項に記載のコンクリート型枠押さえ金物。
【請求項５】
前記小径部を、前記ボルトの雄ネジ部の半分以上の長さとすることを特徴とする請求項１〜４のいずれか１項に記載のコンクリート型枠押さえ金物。
【請求項６】
前記止水部材に環状部材を配置したことを特徴とする請求項１〜５のいずれか１項に記載のコンクリート型枠押さえ金物。
【発明の詳細な説明】
【技術分野】
【０００１】
本発明は、鉄筋コンクリート躯体の壁の厚さ調整に関する。
【背景技術】
【０００２】
従来のコンクリート型枠押さえ金物はコンクリート打設後、コンクリートから取り外す為に、型枠ベニヤと接する面に溝を設け、六角レンチが入る様、ネジ部の外径より大きい六角部分があり、その部分を回転する事によりコンクリートより本体を取り外している（特許文献１参照）。
【０００３】
図１０の従来のコンクリート型枠押さえ金物について説明する。同図において、１は本体で単管締め付けボルト２と一体であり、後部に雌ネジ３を有している。
【先行技術文献】
【特許文献】
【０００４】
【特許文献１】特開２００２−１５５６２３号公報
【発明の概要】
【発明が解決しようとする課題】
【０００５】
しかし、従来のコンクリート型枠押さえ金物は、型枠との接する面に溝を設け、溝の中に六角の部分を有する為、型枠と接する部分の口径が大きくなる、又、止水板が無い為、本体取り外し後、雨水などの浸入の恐れがある、という問題点があった。
【０００６】
そこで、本発明は、上記課題を解消するものであり、型枠と接する部分の本体の径を小さくするとともに、コンクリートへの雨水の浸入を防ぐコンクリート型枠押さえ金物を提供することを目的とする。
【課題を解決するための手段】
【０００７】
請求項１の発明は、本体と、前記本体に接続したボルトとを備えたコンクリート型枠押さえ金物であって、前記ボルトは、その先端に前記ボルトの外径より小径な小径部と、前記本体との接続部に型枠の穴口径よりも小径な角型部とを備え、断面視略ハット型に形成され、前記ボルトの後部外周に嵌合させることで前記本体に取り外し可能な止水部材を備えたことを特徴とする。
【０００８】
請求項２の発明は、前記小径部を角型形状としたことを特徴とする。
【０００９】
請求項３の発明は、前記本体の直径を前記本体長さより小径とすることを特徴とする。
【００１０】
請求項４の発明は、前記本体の前記型枠側に平坦部を形成したことを特徴とする。
【００１１】
請求項５の発明は、前記小径部を、前記ボルトの雄ネジ部の半分以上の長さとすることを特徴とする。
【００１２】
請求項６の発明は、前記止水部材に環状部材を配置したことを特徴とする。
【発明の効果】
【００１３】
請求項１の発明によれば、型枠に接する本体の小口径化が可能となり、止水部材がコンクリート内に残る為、雨水の止水の効果が向上する。
【００１４】
請求項２の発明によれば、小径部を工具で回転させることにより、本体をコンクリートから取り外す事が出来る。
【００１５】
請求項３の発明によれば、コンクリートから本体を取り除いた後のコンクリート表面の跡を目立たなくして、コンクリート表面の美観を向上させることができる。
【００１６】
請求項４の発明によれば、型枠へ流し込まれたコンクリートが本体内部に流れ込むことを防止することが出来る。
【００１７】
請求項５の発明によれば、ボルトの型枠への位置決めを容易にして作業性を向上させることが出来る。
【００１８】
請求項６の発明によれば、止水部材とコンクリート間の止水性能を向上させることが出来る。
【図面の簡単な説明】
【００１９】
【図１】本発明のコンクリート型枠押さえ金物の実施例１の外観を示す斜視図である。
【図２】同上、実施形態を示す側面図である。
【図３】本発明のコンクリート型枠押さえ金物の実施例２の外観を示す分解斜視図である。
【図４】同上、コンクリート型枠押さえ金物の側面図である。
【図５】同上、図４におけるＡ−Ａ線断面図である。
【図６】同上、実施形態を示す断面図である。
【図７】同上、型枠ベニヤを取り外した後の断面図である。
【図８】本発明のコンクリート型枠押さえ金物の実施例３における型枠ベニヤを取り外した後の断面図である。
【図９】本発明のコンクリート型枠押さえ金物の実施例４における型枠ベニヤを取り外した後の断面図である。
【図１０】従来のコンクリート型枠押さえ金物の外観を示す斜視図である。
【発明を実施するための形態】
【００２０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２１】
図１及び図２は本発明の止水板取り付け型六角棒付鉄筋コンクリート型枠押さえ金物の実施例１を示しており、同図において、４は本体である。この本体４には、先端に第１の六角部６を有し、尚かつ本体４との接続部にも第２の六角部１３を有する六角付単管締め付けボルト５が軸装され一体化されている。
【００２２】
六角付単管締め付けボルト５の後部に雌ネジ部８を有し、後付の断面視略ハット型の止水板７を六角付単管締め付けボルト５の後部外周に嵌合させて本体４に取り付けて使用する。コンクリート打設後、先端の第１の六角部６を左回転する事により、本体４を取り外す事が出来又、先端の第１の六角部６が折れるなどした場合は接続部の第２の六角部１３を左回転して本体４を取り外す事が出来る。本体４を取り外した後、止水板７がコンクリート内に残り、止水の効果が向上する。
【００２３】
図においては外部側の穴１０Ａを開けた型枠ベニヤ１０に本体４に止水板７を取り付けた六角単管締め付けボルト５を差し込み、雌ネジ部８に両側にネジ溝を有する軸体９の一方をねじ込み、軸体９の反対側の型枠ベニヤ１０には、本体４に止水板７を取り付けた止水板取り付け型六角棒付鉄筋コンクリート型枠押さえ金物の雌ネジ部８に軸体９の他方をねじ込み、六角付単管締め付けボルト５を型枠ベニヤ１０の穴１０Ａに差し込み、型枠ベニヤ１０の外側に押し座金１１を取り付け、単管１２を型枠ベニヤ１０と押し座金１１との間に入れ、押し座金１１を両方から締め込み、型枠ベニヤ１０と型枠ベニヤ１０の間の寸法を固定する。
【００２４】
本発明は六角付単管締め付けボルト５の先端に、ボルト５の先端の雄ネジ部１４の外径より小口径の第１の六角部６を設け、本体４との接続部に型枠ベニヤ１０の穴１０Ａの口径よりも小さく型枠ベニヤ１０の厚さよりも短い第２の六角部１３を設ける事により、型枠ベニヤ１０と接する部分の本体４の口径（後述するＥ１）を小さくする事が出来る。又、後付の止水板７をコンクリート内面部分側にはめ込む事により、本体４をコンクリートより取り外した時に、止水板７がコンクリート内部に残り、雨水の浸入を防ぐ効果が向上する。
【００２５】
そして、本発明は、本体４と一体の先端の第１の六角部６と、接続部の第２の六角部１３を有する六角付単管締め付けボルト５があり、本体４の後ろに取り外し式の止水板７を取り付け、本体４を取り外した場合でも止水板７がコンクリート内部に残り、又、コンクリート型枠ベニヤ１０の穴１０Ａと接した部分のコンクリートの本体４を取り外した跡の穴が小口径となる。
【００２６】
上記構造の止水板取り付け型六角棒付鉄筋コンクリート型枠押さえ金物の作用は、次の通りである。すなわち六角付単管締め付けボルト５の先端の雄ネジ部１４より小口径の第１の六角部６を設けるとともに、本体４との接合部に、型枠ベニヤ１０に六角付単管締め付けボルト５を通す口径よりも小さく、型枠ベニヤ１０の厚みよりも短い第２の六角部１３が設けられている為、型枠ベニヤ１０の穴１０Ａと接する部分の本体４の口径が小さく出来、先端の第１の六角部６を六角ソケットで左回転することにより、本体４をコンクリートから取り外す事が出来る。又、先端の第１の六角部６が折れた場合は接続部の第２の六角部１３を左回転して本体４を取り外す事が出来る。又、本体４と止水板７が一体でないので、止水板７はコンクリートの中に埋め込まれたまま残る構造である。又、内側の本体４には止水板７が後付なので止水板７を取り付けない事も可能であり、六角付単管締め付けボルト５の六角部は先端か接続部のどちらか片方だけでも可能である。
【００２７】
ボルト５を型枠ベニヤ１０の穴１０Ａへ挿通させるには、ボルト５先端の小径部である第１の六角部６を型枠ベニヤ１０の穴１０Ａに位置決めし、ボルト５の反対側から型枠ベニヤ１０の穴１０Ａに取付工具（図示せず）の先端を挿通させて、この取付工具の先端を第１の六角部６の側面に当接させたまま、取付工具に沿って型枠ベニヤ１０をボルト５に向けて移動させて、ボルト５を型枠ベニヤ１０の穴１０Ａに挿通させる。
【００２８】
以上のように本実施例は請求項１に対応しており、本体４と、本体４に接続したボルト５とを備えたコンクリート型枠押さえ金物であって、ボルト５は、その先端にボルト５の外径Ｄ２より小径な小径部たる第１の六角部６と、本体４との接続部にコンクリート型枠たる型枠ベニヤ１０の穴１０Ａの口径よりも小径で、型枠ベニヤ１０の厚みよりも薄い角型部たる第２の六角部１３とを備え、本体４に取り外し可能な止水部材たる止水板７を備えたことにより、型枠ベニヤ１０に接する面の本体４の小口径化を可能とするとともに、第２の六角部１３を工具で回転させて本体４を取り外す事が出来、又、止水板７を本体４と一体でなく、本体４をコンクリートより取り外した時に、止水板７がコンクリート内部に埋め込まれたまま残る構造としたことにより、コンクリートへの雨水の浸入を防ぐ効果が向上する。
【００２９】
また請求項２に対応しており、小径部たる第１の六角部６を六角形状としたことにより、第１の六角部６を六角レンチ等の工具で回転させることにより、本体４をコンクリートから取り外す事が出来る。
【実施例２】
【００３０】
図３〜図７は、実施例２を示しており、前記実施例１と同一部分には同一符号を付し、その詳細な説明を省略する。実施例２において、六角付単管締め付けボルト５は、接続部だけに第２の六角部１３を設けたものとし、ボルト５の雄ネジ部１４側の先端には六角部のかわりの小径部として断面円形状の丸棒部１５を備えている。丸棒部１５の外径Ｄ１は、雄ネジ部１４の外径Ｄ２より小口径に形成されており（Ｄ１＜Ｄ２）、また、丸棒部１５の長さＬ１を雄ネジ部１４の長さＬ２とほぼ同等かそれ以上に形成されている（Ｌ１≧Ｌ２）。
【００３１】
ボルト５を型枠ベニヤ１０の穴１０Ａへ挿通させるには、ボルト５先端の小径部である丸棒部１５を型枠ベニヤ１０の穴１０Ａに位置決めし、ボルト５の反対側から型枠ベニヤ１０の穴１０Ａに取付工具（図示せず）の先端を挿通させて、この取付工具の先端を丸棒部１５の側面に当接させたまま、取付工具に沿って型枠ベニヤ１０をボルト５に向けて移動させて、ボルト５を型枠ベニヤ１０の穴１０Ａに挿通させる。
【００３２】
本実施例では、丸棒部１５を雄ネジ部１４の長さＬ２とほぼ同等かそれ以上の長さＬ１に形成したことにより、型枠ベニヤ１０の穴１０Ａにボルト５を通す際に使用される前記取付工具との接触面積を増加し、ボルト５の型枠ベニヤ１０の穴１０Ａへの位置決めを容易にして作業性を向上させる。
【００３３】
本体４は、合成樹脂等からなる中実の略裁頭円錐形状を有し、型枠ベニヤ１０が接する雄ネジ部１４側の大径部１６に平坦面１６Ａを形成し、型枠ベニヤ１０,１０間へのコンクリートＣの打設時に本体４内部にコンクリートＣが流れ込むことを防止している。
【００３４】
また、本体４は大径部１６の直径Ｅ１を本体４の長さＭとほぼ同等かそれより小さく形成するとともに（例えば、Ｅ１＝約１７ｍｍ、Ｍ＝約２０ｍｍとし、Ｅ１≦Ｍ）、雌ネジ部８側の小径部１７を直径Ｅ２（例えば、Ｅ２＝約１４ｍｍ）とし、本体４全体の径を小さく形成し、コンクリート打設後に本体４をコンクリートＣから取り除く際に形成される跡穴１８の口径を小さくすることで、跡穴１８を目立たなくしてコンクリートＣ表面の美観を向上させる事ができる。
【００３５】
また、図７に示すように、跡穴１８に装着されるコンクリート製の略裁頭円錐形状の栓体１９の側面には、周溝２０が形成されており、この周溝２０に第１の止水部材としてのゴム製の第１のＯリング２１が嵌着されており、コンクリートＣの跡穴１８と栓体１９間の止水性の向上を図っている。また、２２は栓体１９に装着されるゴム製の中空な裁頭円錐状のキャップである。第１のＯリング２１とともにコンクリートＣの跡穴１８と栓体１９間の止水性の向上を図っている。
【００３６】
以上のように本実施例は請求項３に対応しており、本体４の直径Ｅ１を本体長さＭより小径（Ｅ１＜Ｍ）とすることにより、コンクリートＣから本体を取り除いた後のコンクリートＣ表面の跡穴１８を目立たなくして、コンクリートＣ表面の美観を向上させることができる。
【００３７】
また、本実施例は請求項４に対応しており、本体４の型枠ベニヤ１０側に平坦部たる平坦面１６Ａを形成し、型枠ベニヤ１０,１０間へコンクリートＣを流し込む際に、本体４内部にコンクリートＣが流れ込むことを防止することができる。
【００３８】
さらに、本実施例は請求項５に対応しており、小径部たる丸棒部１５を、ボルト５の雄ネジ部１４の半分以上の長さとすることにより、ボルト５の型枠ベニヤの穴１０Ａへの位置決めを容易にして作業性を向上させる。
【００３９】
また、本実施例上の効果として、小径部を丸棒部１５とすることで、小径部の形成が容易となるとともに、前述のボルト５と型枠ベニヤ１０の位置決めの際の取付工具への接触を容易とし、取付工具による案内位置決め作業が容易となる。
【実施例３】
【００４０】
図８は、実施例３を示しており、前記実施例１及び実施例２と同一部分には同一符号を付し、その詳細な説明を省略する。実施例３において、止水板７の外周面に形成された周溝２３に、第２の止水部材としてゴム製の第２のＯリング２４が嵌着されており、コンクリートＣと止水板７間の止水性の向上を図るとともに、ゴム製の第２のＯリング２４のコンクリートＣとの化学反応（科学的反応接着）によってコンクリートＣとの密着性が高くなり、止水板７とコンクリートＣ間の止水性能をさらに向上させることができる。
【００４１】
以上のように本実施例は請求項６に対応しており、止水板７の外周に環状部材たる第２のＯリング２４を配置したことにより、止水板７とコンクリートＣ間の止水性能を向上させることができる。
【実施例４】
【００４２】
図９は、実施例４を示しており、前記実施例１〜３と同一部分には同一符号を付し、その詳細な説明を省略する。実施例４において、第２の止水部材としての第２のＯリング２４は、水などに接触するとその水分を吸収し膨張する樹脂成分とゴム成分とを混合してなる水膨張ゴム製とし、止水板７の内周面に形成された周溝２５に嵌着されており、コンクリートＣと止水板７間の止水性の向上を図るとともに、止水板７と軸体９間の止水性を向上させており、さらにゴム製の第２のＯリング２４のコンクリートＣとの化学反応（科学的反応接着）と第２のＯリング２４の水膨張によってコンクリートＣとの密着性が高くなり、止水板７とコンクリートＣ間の止水性能をさらに向上させることができる。
【００４３】
本発明は上記各実施例に限定されるものではなく、本発明の要旨の範囲内において種々の変形実施が可能である。例えば、止水板７の形状や、本体４の各寸法（Ｄ１,Ｄ２,Ｅ１,Ｅ２,Ｍ）についても適宜変更可能である。また、各角型部６,１３の形状も六角レンチに対応する六角型に限らず、四角レンチに対応する四角型や、その他の多角型としても構わないものとする。
【符号の説明】
【００４４】
４  本体
５  ボルト
６  角型部（小径部）
７  止水板（止水部材）
１０  型枠ベニヤ（型枠）
１０Ａ  穴
１３  角型部
１５  丸棒部（小径部）
１６Ａ  平坦面（平坦部）
２４  第２のＯリング（環状部材）
【図１】
0005606758.tif 000002
【図２】
0005606758.tif 000003
【図３】
0005606758.tif 000004
【図４】
0005606758.tif 000005
【図５】
0005606758.tif 000006
【図６】
0005606758.tif 000007
【図７】
0005606758.tif 000008
【図８】
0005606758.tif 000009
【図９】
0005606758.tif 000010
【図１０】
0005606758.tif 000011